(57)【要約】【課題】本番データに含まれる個人情報の漏洩を防止しつつ、本番データと同等の属性をもつテストデータを容易に作成する。【解決手段】運用中の業務システムの下位サーバから上位サーバへ送信される本番データを平行して若しくは中間で受信し、この本番データに含まれる個人情報を予め定められたデータ変換定義情報に基づいて変換し、本番データとデータ属性が等しく、かつ、個人を特定できないテストデータを作成し、作成されたテストデータを上位サーバの代替対象となるテスト対象サーバへ送信する。【選択図】図１
2011039723.tif 000002
【特許請求の範囲】
【請求項１】
運用中の業務システムにおいて下位サーバから上位サーバへ送信される本番データを受信するデータ受信部と、
予め定められたデータ変換定義情報に基づいて前記本番データに含まれる個人情報を変換し、前記本番データとデータ属性が等しく、かつ、個人を特定できないテストデータを作成するデータ変換部と、
前記作成されたテストデータを前記上位サーバの代替対象となるテスト対象サーバへ送信するデータ送信部と、
を備えることを特徴とするテストデータ作成装置。
【請求項２】
前記データ変換部において作成された前記テストデータを保存するテストデータ記憶部を更に備え、
前記データ変換部は、前記上位サーバとの接続状態において前記変換によって作成したテストデータを前記テストデータ記憶部に保存し、かつ、前記データ送信部は、前記テスト対象サーバとの接続状態において前記テストデータ記憶部に保存された前記テストデータを抽出して前記テスト対象サーバへ送信することを特徴とする請求項１記載のテストデータ作成装置。
【請求項３】
外部入力されたテスト対象指定情報に基づいて前記テストデータの送信先を変更し、前記テスト対象サーバを切替えるテスト対象切替部を更に備えることを特徴とする請求項１記載のテストデータ作成装置。
【請求項４】
前記データ送信部は、前記テストデータ記憶部に保存された前記テストデータに含まれる受信時刻データに基づいて単位時間当たりのデータ送信量を調節し、前記テストデータを前記テスト対象サーバへ送信することを特徴とする請求項２記載のテストデータ作成装置。
【請求項５】
前記上位サーバが、高速道路網内に複数設けられた料金所における通行料金の収受を中央管理する中央管理サーバであり、かつ、
前記下位サーバが、前記料金所においてネットワークを介して前記中央管理サーバに接続され、ＥＴＣ車載器を搭載した車両が前記料金所を通過する度に利用明細データを作成して前記中央管理サーバへ送信する料金所サーバである場合に、
前記データ受信部は、前記利用明細データを前記本番データとして受信し、かつ、前記データ変換部は、少なくとも前記利用明細データに含まれるクレジットカード番号を変換して前記テストデータを作成することを特徴とする請求項１乃至請求項４のいずれか一項記載のテストデータ作成装置。
【発明の詳細な説明】
【技術分野】
【０００１】
本発明は、種々のコンピュータシステムの運転テストに必要なテストデータを作成するテストデータ作成装置に関する。
【背景技術】
【０００２】
近年、企業等の日常の業務はコンピュータシステムによって支援されている。このような業務システムの開発や保守を行う際には、業務環境と同じ条件下で動作させ、プログラムの動作を十分に検証しなければならない。すなわち、業務システムの現実の運用においては、大量のデータが取り扱われるため、テスト段階においても現実のあらゆる運用状況を想定した大量のテストデータが必要である。しかし、質の高いテストデータを大量に作成することは困難な場合が多い。そのため、テストを行う場合には、現実の運用で作成されたデータ（以下、「本番データ」という。）をテストデータとして用いることが多い。
【０００３】
ＥＴＣ(Electronic Toll Collection System)システムは高速道路における通行料金を収受する業務システムであり、中央管理サーバと各料金所に設けられたサーバとの間では車両が料金所を通過する度に利用明細データの送受信が行われている。このＥＴＣシステムでは、各料金所サーバから昼夜を問わず大量に送信される利用明細データは中央管理サーバにおいてクレジットカード番号毎に集計され、作成された課金情報がクレジットカード会社へ送信される。したがって、この業務システムを構成する上位サーバである中央管理サーバのテストを行う場合には、現実の運用で作成された利用明細データ（本番データ）を使用したテストを行わなければならない。しかしながら、利用明細データにはクレジットカード番号などの個人情報が含まれているため、テストを行う際には利用明細データにアクセスできるユーザの制限や利用明細データの持出禁止など個人情報保護のための各種対策も必要である。
【０００４】
このような個人情報保護に関する技術として、個人情報を含む本番データから個人情報を特定できない持出データを作成し、この持出データから本番データと同等の属性を持つテストデータを作成し、個人情報の不正流出の防止と、テストデータの作成の効率化を図るテストデータ作成装置が知られている（特許文献１参照）。
【先行技術文献】
【特許文献】
【０００５】
【特許文献１】特開２００８−６５６８７号公報
【発明の概要】
【発明が解決しようとする課題】
【０００６】
しかしながら、上記の技術においては、個人情報が含まれた状態の本番データが一旦データベースに格納された後に、その本番データを改変してテストデータを作成する構成のため、データベースへアクセスできる場合には、個人情報が漏洩してしまう可能性がある。また、大規模な業務システムの運転テストには多くの人員が必要であるが、本番データにアクセスできるユーザが多ければ、情報の管理は更に困難となってしまう。
【０００７】
そこで、本発明は、上記従来技術の問題に鑑み、本番データに含まれる個人情報の漏洩を防止しつつ、本番データと同等の属性をもつテストデータを容易に作成できるテストデータ作成装置を提供することを目的とする。
【課題を解決するための手段】
【０００８】
本発明に係るテストデータ作成装置は、運用中の業務システムにおいて下位サーバから上位サーバへ送信される本番データを受信するデータ受信部と、予め定められたデータ変換定義情報に基づいて前記本番データに含まれる個人情報を変換し、前記本番データとデータ属性が等しく、かつ、個人を特定できないテストデータを作成するデータ変換部と、前記作成されたテストデータを前記上位サーバの代替対象となるテスト対象サーバへ送信するデータ送信部と、を備えることを特徴とする。
【発明の効果】
【０００９】
本発明によれば、本番データに含まれる個人情報の漏洩を防止しつつ、本番データと同等の属性をもつテストデータを容易に作成できるテストデータ作成装置が提供される。
【図面の簡単な説明】
【００１０】
【図１】本発明の実施形態１に係るテストデータ作成装置が適用されるシステムの例を示すブロック図。
【図２】図１に示すテストデータ作成装置のハードウェア構成例を示す図。
【図３】図１に示すテストデータ作成装置の構成例を示すブロック図。
【図４】図１に示すデータ変換定義記憶部の記憶内容の具体例を示す図。
【図５】図１に示すテストデータ作成装置の処理例を示すフローチャート。
【図６】図１に示すデータ変換部におけるデータ変換処理を説明する図。
【図７】本発明の実施形態２に係るテストデータ作成装置が適用されるシステムの例を示すブロック図。
【図８】図７に示すテストデータ作成装置の構成例を示すブロック図。
【図９】図７に示すテストデータ作成装置の処理例を示すフローチャート。
【図１０】本発明の実施形態３に係るテストデータ作成装置が適用されるシステムの例を示すブロック図。
【図１１】図１０に示すテストデータ作成装置の構成例を示すブロック図。
【図１２】図１０に示すテストデータ作成装置の処理例を示すフローチャート。
【発明を実施するための形態】
【００１１】
以下、本発明の実施形態について図面を用いて詳細に説明する。  
＜実施形態１＞
図１は、本発明の実施形態１に係るテストデータ作成装置１が適用されるＥＴＣシステムの例を示すブロック図である。ここでは、テストデータ作成装置１が適用されるＥＴＣシステムは、一の既設中央管理サーバ２（上位サーバ）にネットワーク３を介して高速道路の各料金所の料金所サーバ４（下位サーバ）が接続されたコンピュータシステムであり、高速道路における料金収受を管理する。具体的には、料金所サーバ４に接続されたＥＴＣゲート５においてＥＴＣ車載器を備えたＥＴＣ車両６が通行する際に、ＥＴＣ車載器に挿入されているＥＴＣカードの格納情報が無線通信によってＥＴＣゲート５の車線機器で読取られ、この情報が料金所サーバ４に伝えられると、料金所サーバ４は通行区間および車両種別等に応じた通行料金を含む利用明細データを既設中央管理サーバ２へ送信する。また、既設中央管理サーバ２は、各料金所サーバ４より送信される利用明細データをデータベース（図示省略する）に格納し、カード番号と利用日時で管理する。そして、既設中央管理サーバ２は、データベースに格納された利用明細データをカード利用者ごとに集計して、課金情報をクレジットカード会社システム７へ送信する。
【００１２】
テストデータ作成装置１は、既設中央管理サーバ２と同様に、ネットワーク３を介して料金所サーバ４に接続されており、料金所サーバ４より本番データである利用明細データを受信すると、この利用明細データに所定の変換処理を施してテストデータを作成し、既設中央管理サーバ２の代替対象となる新設中央管理サーバ８へテストデータを送信するコンピュータである。新設中央管理サーバ８では、このテストデータに基づいて各種の運転テストが行われる。
【００１３】
図２は、本発明の一実施形態に係るテストデータ作成装置１に適用されるコンピュータの構成例を示す図である。同図に示されるように、テストデータ作成装置１に適用されるコンピュータは、ＣＰＵ（Central Processing Unit）１１、ＲＯＭ（Read Only Memory）１２、ＲＡＭ（Random Access Memory）１３、入出力インターフェース１４、システムバス１５、入力装置１６、表示装置１７、補助記憶装置１８および通信装置１９から構成される。
【００１４】
ＣＰＵ１１は、ＲＯＭ１２やＲＡＭ１３に格納されたプログラムやデータを用いて各種の演算処理を実行する処理装置である。ＲＯＭ１２は、コンピュータを機能させるための基本プログラムや環境ファイルなどを記憶する読み取り専用の記憶装置である。ＲＡＭ１３は、ＣＰＵ１１が実行するプログラムおよび各プログラムの実行に必要なデータを記憶する記憶装置であり、高速な読み出しと書き込みが可能である。入出力インターフェース１４は、各種のハードウェアとシステムバス１５との接続を仲介する装置およびプログラムである。システムバス１５は、ＣＰＵ１１、ＲＯＭ１２、ＲＡＭ１３および入出力インターフェース１４で共有される情報伝達路である。
【００１５】
また、入出力インターフェース１４には、入力装置１６、表示装置１７、補助記憶装置１８、および通信装置１９などのハードウェアが接続されている。入力装置１６は、ユーザからの入力を処理する装置であり、例えばキーボードやマウスなどである。表示装置１７は、ユーザに対して演算結果や作成画面などを表示する装置であり、例えばＣＲＴ、液晶ディスプレイ、プラズマディスプレイなどである。補助記憶装置１８は、プログラムやデータを蓄積する大容量の記憶装置であり、例えばハードディスク装置などである。
【００１６】
図３は、図１に示すテストデータ作成装置１の構成例を示すブロック図である。同図に示されるように、テストデータ作成装置１は、データ受信部１０１、データ変換定義作成部１０２、データ変換定義記憶部１０３、データ変換部１０４およびデータ送信部１０５を含んでいる。
【００１７】
データ受信部１０１は、ＥＴＣシステム（業務システム）の運用中に料金所サーバ４（下位サーバ）から既設中央管理サーバ２（上位サーバ）へ送信される利用明細データ（本番データ）を受信するプログラムである。本実施形態では、料金所サーバ４において利用明細データの送信先には既設中央管理サーバ２とテストデータ作成装置１が予め設定されており、テストデータ作成装置１は既設中央管理サーバ２と同じデータを平行して受信するものとする。
【００１８】
データ変換定義作成部１０２は、利用明細データ中で変換対象となる項目を定義するデータ変換定義情報を作成し、これをデータ変換定義記憶部１０３へ格納するプログラムである。本実施形態では、個人を特定可能な情報を変換対象とするが、変換対象は任意に指定できるものとする。図４は、図１に示すデータ変換定義記憶部１０３の記憶内容の具体例を示す図である。ここでは、料金所サーバ４から送信される利用明細データ（電文）に含まれるデータ項目名、データ開始位置、データ長、データ型に加えて変換を要する項目を判別する変換フラグが記憶されており、クレジットカード番号とカード有効期限を変換対象とすることが示されている。
【００１９】
データ変換部１０４は、データ変換定義記憶部１０３に予め記憶されたデータ変換定義情報に基づいて利用明細データに含まれる個人情報を変換し、利用明細データとデータ属性が等しく、かつ、個人を特定できないテストデータを作成するプログラムである。尚、変換する方式は不可逆変換であれば特に限定されないが、新設中央管理サーバ８のデータベース（図示省略する）に格納できるデータとするために、データの型変換は行わず、データ属性（データ長およびデータ型）が利用明細データと同一となるものとする。
【００２０】
データ送信部１０５は、データ変換部１０４において作成されたテストデータを既設中央管理サーバ２（上位サーバ）の代替対象（テスト対象）である新設中央管理サーバ８へ送信するプログラムである。
【００２１】
以下、上記のように構成されたテストデータ作成装置１の動作を図面に基づいて説明する。図５は、図１に示すテストデータ作成装置１の処理例を示すフローチャートである。
【００２２】
Ｓ５０１において、データ変換部１０４は、データ変換定義記憶部１０３よりデータ変換定義情報を取得する。  
Ｓ５０２において、データ受信部１０１は、各料金所サーバ４より利用明細データを受信する。
【００２３】
Ｓ５０３において、データ変換部１０４は、データ変換定義情報に基づいて利用明細データ中の変換対象項目である個人情報に係るデータを変換して作成したテストデータをデータ送信部１０５へ出力する。図６は、図１に示すデータ変換部１０４におけるデータ変換処理を説明する図である。ここでは、複数の利用明細データが受信され、データ内には料金所ＩＤ、クレジットカード番号、カード有効期限、利用日時、通行料金および車種コードなどが含まれているが、これらのデータ項目の内、クレジットカード番号とカード有効期限についてはデータ変換が行われ、利用明細データ中のクレジットカード番号とカード有効期限を推測不可能なデータに変更されたテストデータが作成されることが示されている。  
Ｓ５０４において、データ送信部１０５は、データ変換部１０４より出力されたテストデータをテスト対象である新設中央管理サーバ８へ送信し、処理を終了する。
【００２４】
このように、本実施形態に係るテストデータ作成装置１によれば、受信される利用明細データの中の個人情報がデータ属性を維持したままで改変がされるため、個人情報を保護した状態でテスト環境を作り、かつ、運用とテストへの切換が容易に行える仕組みを構築できる。また、データ変換部１０４において作成されたテストデータをテスト対象である新設中央管理サーバ８へリアルタイムで送信する構成のため、運用中の既設中央管理サーバ２にかけられる負荷と同じ負荷を新設中央管理サーバ８にかけることが可能となり、運転テストの信頼性を更に高めることができる。
【００２５】
＜実施形態２＞  
図７は、本発明の実施形態２に係るテストデータ作成装置１が適用されるシステムの例を示すブロック図である。同図に示されるように、本実施形態に係るテストデータ作成装置１は、実施形態１と異なり、料金所中央管理センター内で運用中の既設中央管理サーバ２と料金所サーバ４の伝送上に配置した後に、装置をテスト現場に移動してテスト対象である新設中央管理サーバ８に接続できるように構成されている。尚、テストデータ作成装置１と既設中央管理サーバ２との接続が解除される際には、既設中央管理サーバ２は料金所サーバ４と直接接続されるものとする。
【００２６】
図８は、図７に示すテストデータ作成装置１の構成例を示すブロック図である。同図に示されるように、本実施形態に係るテストデータ作成装置１は、実施形態１に係るテストデータ作成装置１に対してテストデータ記憶部１０６を更に含んで構成されている。尚、図２において付された符号と共通する符号は同一の対象を表すため説明を省略し、以下では異なる箇所について詳細に説明する。
【００２７】
テストデータ記憶部１０６は、データ変換部１０４において作成されたテストデータを格納する記憶装置である。既設中央管理サーバ２と接続状態にあるとき、データ変換部１０４は、データ受信部１０１において逐次受信される利用明細データをデータ送信部１０５へそのままの状態で出力すると共に、データ変換定義記憶部１０３から取得されるデータ変換定義情報に基づいて利用明細データに含まれる個人情報を変換したテストデータを作成し、このテストデータをテストデータ記憶部１０６へ逐次格納する。
【００２８】
また、データ送信部１０５は、新設中央管理サーバ８と接続状態となった後に、新設中央管理サーバ８よりテストデータの送信要求を受けると、テストデータ記憶部１０６からテストデータを取得して新設中央管理サーバ８へ送信を行う。
【００２９】
以下、上記のように構成されたテストデータ作成装置１の動作を図面に基づいて説明する。図９は、図７に示すテストデータ作成装置１の処理例を示すフローチャートである。
【００３０】
Ｓ９０１において、データ送信部１０５は、運用中の既設中央管理サーバ２と接続状態にあるか否かを判定する。ここで、接続されていると判定された場合には、Ｓ９０２へ進む。これに対し、接続されていないと判定された場合には、接続されるまで待機状態となる。
【００３１】
Ｓ９０２において、データ変換部１０４は、データ変換定義記憶部１０３よりデータ変換定義情報を取得する。  
Ｓ９０３において、データ受信部１０１は、各料金所サーバ４より利用明細データを受信する。
【００３２】
Ｓ９０４において、データ送信部１０５は、データ受信部１０１において受信された利用明細データを既設中央管理サーバ２へ送信する。  
Ｓ９０５において、データ変換部１０４は、データ変換定義情報に基づいて利用明細データ中の変換対象項目である個人情報に係るデータを変換し、テストデータを作成する。
【００３３】
Ｓ９０６において、データ変換部１０４は、変換によって作成されたテストデータをテストデータ記憶部１０６へ保存する。
【００３４】
Ｓ９０７において、データ受信部１０１は、既設中央管理サーバ２との接続が解除されているか否かを判定する。ここで、接続が解除されていると判定された場合には、Ｓ９０８へ進む。これに対し、接続が維持されていると判定された場合には、Ｓ９０３へ戻り、接続が解除されるまで、テストデータの作成と保存を繰り返す。
【００３５】
Ｓ９０８において、データ送信部１０５は、テスト対象の新設中央管理サーバ８に接続されているか否かを判定する。ここで、接続されていると判定された場合には、Ｓ９０９へ進む。これに対し、接続されていないと判定された場合には、新設中央管理サーバ８に接続されるまで待機状態となる。
【００３６】
Ｓ９０９において、データ送信部１０５は、新設中央管理サーバ８よりテストデータの送信要求を受けるとテストデータ記憶部１０６に保存されているテストデータを抽出し、このテストデータをテスト対象である新設中央管理サーバ８へ送信し、処理を終了する。
【００３７】
このように、本実施形態に係るテストデータ作成装置１によれば、テストデータ作成装置１に利用明細データの個人情報を改変したテストデータを一次蓄積した上で、テストデータ作成装置１を別の場所に設置されている新設中央管理サーバ８に接続できるため、本番データを利用したテスト環境を容易に構築することができる。すなわち、運用環境と個人情報などを改変したテストデータに基づくテスト環境をテストデータ作成装置１の着脱で簡単に切り換えることができる。このため、道路事業者から開発側のテスト用に本番データを借用するような場合には、道路事業者に対してデータの保全性、安全性を確保しつつ、運転テストの信頼性を高めることができる。
【００３８】
＜実施形態３＞  
図１０は、本発明の実施形態３に係るテストデータ作成装置１が適用されるシステムの例を示すブロック図である。同図に示されるように、本実施形態に係るテストデータ作成装置１が適用されるＥＴＣシステムは、実施形態１と異なり、既設中央管理サーバ２Ａおよび既設中央管理サーバ２Ｂの二つのサーバが設けられ、一方のサーバが運用され、他方のサーバが待機するように構成されている。ここでは、既設中央管理サーバ２Ａが運用され、待機中の既設中央管理サーバ２Ｂをテスト対象とする場合を示している。また、テストデータ作成装置１は、既設中央管理サーバ２Ａおよび２Ｂと各料金所サーバ４との間に配置され、利用明細データを中継するノードとして構成されている。
【００３９】
図１１は、図１０に示すテストデータ作成装置１の構成例を示すブロック図である。同図に示されるように、本実施形態に係るテストデータ作成装置１は、実施形態１に係るテストデータ作成装置１に対してテスト対象切替部１０７を更に含んで構成されている。尚、図２において付された符号と共通する符号は同一の対象を表すため説明を省略し、以下では異なる箇所について詳細に説明する。
【００４０】
テスト対象切替部１０７は、外部入力されたテスト対象指定情報に基づいてテストデータの送信先を変更し、テスト対象サーバを切替えるプログラムである。本実施形態では、テスト対象指定情報は環境ファイル（図示省略する）に記録され、データ送信部１０５がデータ送信時に参照するものとし、既設中央管理サーバ２Ａまたは既設中央管理サーバ２Ｂのいずれかが指定される。また、外部入力の方法例としては、テスト対象切替画面（図示省略する）を表示してマウス等の入力装置１６を用いて選択する方法やテストデータ作成装置１内部にスイッチを設ける方法などが挙げられる。
【００４１】
以下、上記のように構成されたテストデータ作成装置１の動作を図面に基づいて説明する。図１２は、図１０に示すテストデータ作成装置１の処理例を示すフローチャートである。
【００４２】
Ｓ１２０１において、テスト対象切替部１０７は、テスト対象の切替要求である外部入力情報の有無を判定する。ここで、テスト対象の切替要求有りと判定された場合はＳ１２０２へ進む。これに対し、テスト対象の切替要求無しと判定された場合はＳ１２０３へ進む。
【００４３】
Ｓ１２０２において、データ送信部１０５は、外部入力情報に基づいてデータ送信先を定義するテスト対象指定情報を更新する。  
Ｓ１２０３において、データ受信部１０１は、各料金所サーバ４より利用明細データを受信する。  
Ｓ１２０４において、データ送信部１０５は、テスト対象指定情報を取得する。
【００４４】
Ｓ１２０５において、データ送信部１０５は、データ受信部１０１において受信された利用明細データをテスト対象指定情報に基づいて運用中のサーバ（既設中央管理サーバ２Ａ）へ送信する。  
Ｓ１２０６において、データ変換部１０４は、データ変換定義記憶部１０３よりデータ変換定義情報を取得する。  
Ｓ１２０７において、データ変換部１０４は、データ変換定義情報に基づいて利用明細データ中の変換対象項目である個人情報に係るデータを変換し、テストデータを作成する。
【００４５】
Ｓ１２０８において、データ送信部１０５は、データ変換部１０４において作成されたテストデータをテスト対象指定情報に基づいてテスト対象サーバ（既設中央管理サーバ２Ｂ）へ送信し、処理を終了する。
【００４６】
このように、本実施形態に係るテストデータ作成装置１によれば、個人情報などの機密情報にデータ保護を施した上でテスト可能なテスト環境と運用環境の切換が容易に行えると共に、テストで利用する際に個人情報の漏洩を防止することができる。
【００４７】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。すなわち、実施形態に示される全構成要素から幾つかの構成要素を削除してもよい。更に、異なる実施形態にわたる構成要素を適宜組み合わせてもよい。
【００４８】
例えば、上記実施形態ではテストデータ作成装置１をＥＴＣシステムに適用したが、適用される業務システムはこれに限定されない、金融システム、受注出荷システム、電子カルテ管理システムなどの他の業務システムでもよい。ネットワーク接続された下位サーバ（または端末）から送信される個人情報や機密情報を含んだ本番データを上位サーバで処理する業務システムのテストに利用可能である。
【００４９】
また、データ変換の対象項目を環境ファイルの更新によって変更可能な構成としたが、業務システムや本番データの構成によっては変更が不要な場合などには、変換プログラムの中に直接定義するとしてもよい。任意に設計変更可能である。
【００５０】
更に、上記実施形態２においては、テストデータ記憶部１０６に格納されているテストデータの送信タイミングに関してはテストデータの送信要求があった場合としたが、テストデータには利用明細データの個人情報を改変したデータとは別に、利用明細データの受信時刻データ（利用日時）が保存されているため、データ送信部１０５に受信時と同タイミングでテストデータを送信して単位時間当たりのデータ量を調節することで、テストの場所や時間が異なる場合であっても運用中の既設中央管理サーバ２にかけられた負荷と同じ負荷を新設中央管理サーバ８にかけることが可能となり、運転テストの信頼性を更に高めることができる。
【符号の説明】
【００５１】
１…テストデータ作成装置
２，２Ａ，２Ｂ…既設中央管理サーバ
３…ネットワーク
４…料金所サーバ
５…ＥＴＣゲート
６…ＥＴＣ車両
７…クレジットカード会社システム
８…新設中央管理サーバ
１１…ＣＰＵ
１２…ＲＯＭ
１３…ＲＡＭ
１４…入出力インターフェース
１５…システムバス
１６…入力装置
１７…表示装置
１８…補助記憶装置
１９…通信装置
１０１…データ受信部
１０２…データ変換定義作成部
１０３…データ変換定義記憶部
１０４…データ変換部
１０５…データ送信部
１０６…テストデータ記憶部
１０７…テスト対象切替部
【図１】
2011039723.tif 000003
【図２】
2011039723.tif 000004
【図３】
2011039723.tif 000005
【図４】
2011039723.tif 000006
【図５】
2011039723.tif 000007
【図６】
2011039723.tif 000008
【図７】
2011039723.tif 000009
【図８】
2011039723.tif 000010
【図９】
2011039723.tif 000011
【図１０】
2011039723.tif 000012
【図１１】
2011039723.tif 000013
【図１２】
2011039723.tif 000014